(57)【要約】【課題】  デジタル無線電話機が本来備えているデジタル処理能力を最大限活かした高機能な着信リダイヤル機能を備えたデジタル無線電話機を提供する。【解決手段】  制御情報を含む符号化デジタル信号により変調された、第１の通信網の無線信号を受信して復調出力する無線機手段と、無線機手段から出力される復調された符号化デジタル信号から制御情報を復号する制御信号処理手段と、復号された制御情報に含まれる第２の通信網からの他機の電話番号情報の有無を通話回線が確立する以前に検出する電話番号情報検出手段と、電話番号情報検出手段が検出した制御情報に含まれる電話番号情報を記憶する着信情報記憶手段とを備え、第１の通信網にある自機から第２の通信網にある他機への発呼に要する付加情報を、電話番号情報に付加して前記着信情報記憶手段に記憶する。【選択図】    図１
2006115537.tif 000002
【特許請求の範囲】
【請求項１】
制御情報を含む符号化デジタル信号により変調された、第１の通信網の無線信号を受信して復調出力する無線機手段と、
該無線機手段から出力される前記復調された符号化デジタル信号から前記制御情報を復号する制御信号処理手段と、
前記復号された制御情報に含まれる第２の通信網からの他機の電話番号情報の有無を通話回線が確立する以前に検出する電話番号情報検出手段と、
前記電話番号情報検出手段が検出した前記制御情報に含まれる電話番号情報を記憶する着信情報記憶手段と
を備え、
前記第１の通信網にある自機から前記第２の通信網にある他機への発呼に要する付加情報を、前記電話番号情報に付加して前記着信情報記憶手段に記憶すること
を特徴とするデジタル無線電話機。
【請求項２】
電話番号情報検出手段が検出した電話番号情報に対応する着信時刻情報を出力する時刻情報管理手段を備え、
着信情報記憶手段は、前記電話番号情報検出手段が検出した電話番号情報と、当該電話番号情報と対応する前記時刻情報管理手段が出力した着信時刻情報とを一対とする情報組を複数記憶すること
を特徴とする請求項１に記載のデジタル無線電話機。
【請求項３】
最近に着信した電話番号情報からはじめ、所定の個数の電話番号情報に対応する情報組を着信情報記憶手段へ記憶すること
を特徴とする請求項２に記載のデジタル無線電話機。
【請求項４】
着信した複数の同一の電話番号情報の中から、最近に着信した電話番号情報に対応する情報組のみを着信情報記憶手段に記憶すること
を特徴とする請求項２に記載のデジタル無線電話機。
【請求項５】
操作手段から入力される操作信号に応じて、表示手段に表示される表示情報の電話番号情報に対する発呼処理がなされること
を特徴とする請求項１に記載のデジタル無線電話機。
【請求項６】
制御情報に電話番号情報が含まれない場合は、着信情報記憶手段への記憶動作を行わないこと
を特徴とする請求項１に記載のデジタル無線電話機。
【発明の詳細な説明】
【技術分野】
【０００１】
本発明は、例えばデジタル通話方式を採用した自動車・携帯電話システムやＰＨＳ（Ｐｅｒｓｏｎａｌ  Ｈａｎｄｙｐｈｏｎｅ  Ｓｙｓｔｅｍ）に代表されるデジタル移動無線通信システム等で使用されるデジタル無線電話機に係り、特に着信した相手先の電話番号（以下、「着信電話番号」という。）を記憶でき、またその電話番号をもとに発呼出来る機能（以下、「着信リダイヤル機能」という。）を持つデジタル無線電話機に関するものである。
【背景技術】
【０００２】
図１１は、例えば特開平５−１４２７４号公報に示された、従来の着信リダイヤル機能を持つアナログ無線電話機のシステム構成を示す。従来のこの種の電話機は、着信した相手先の電話番号情報を複数の周波数信号を重ね合わせたＤＴＭＦ（Ｄｕａｌ  Ｔｏｎｅ  Ｍｕｌｔｉ  Ｆｒｅｑｕｅｎｃｙ）信号という形で、アナログ音声信号とともに通信チャネルを用いた無線回線を介して受信し、メモリに記録していた。
【０００３】
次に前記アナログ無線電話機の着信リダイヤル機能に関わる動作について説明する。先ず制御チャネルを用いてアンテナ６を介して受信された制御情報を含む無線信号は、無線機部５にてベースバンド帯のアナログ信号である制御信号として復調出力される。この復調された制御信号は、デコーダ１５によって制御情報が復号され、マイクロコンピュータ１０で処理され、無線回線が確立される。次に通話チャネルを用いて同じくアンテナ６を介して受信された電話番号情報を含む無線信号は、無線機部５にてベースバンド帯のアナログ信号であるＤＴＭＦ信号として復調出力される。この復調されたＤＴＭＦ信号は、ＤＴＭＦレシーバ１６によって電話番号情報が判定検出され符号化されて、マイクロコンピュータ１０での処理を経て、メモリ１２に記録される。一方、リダイヤルによる発呼の際には、マイクロコンピュータ１０によって先にメモリ１２に記録された電話番号情報が読み出され、エンコーダ１７によって符号化され、無線機部５にて変調後、無線信号としてアンテナ６より送信される。
【０００４】
【特許文献１】特開平５−１４２７４号公報
【発明の開示】
【発明が解決しようとする課題】
【０００５】
従来のアナログ無線電話機における着信リダイヤル機能は以上のように構成されているので、本来の電話機能を動作させるために必要な構成とは別に、電話番号情報を検出するためのＤＴＭＦレシーバ等が必要となり、構成が複雑になるという問題があった。また、着信リダイヤル機能の内容としては、ただ単にメモリに記録された電話番号情報を用いてリダイヤルするというものであり、ユーザサービスを考慮した高機能・多機能化が図られていないという問題があった。
【０００６】
この発明は上記のような問題点を解決するためになされたもので、デジタル移動無線通信システム等で使用されるデジタル無線電話機に前記着信リダイヤル機能を持たせるに際し、デジタル無線電話機が本来備えているデジタル処理能力を最大限活かした高機能な着信リダイヤル機能を備えたデジタル無線電話機を提供することを目的とする。
【課題を解決するための手段】
【０００７】
この発明に係るデジタル無線電話機は、
制御情報を含む符号化デジタル信号により変調された、第１の通信網の無線信号を受信して復調出力する無線機手段と、
該無線機手段から出力される前記復調された符号化デジタル信号から前記制御情報を復号する制御信号処理手段と、
前記復号された制御情報に含まれる第２の通信網からの他機の電話番号情報の有無を通話回線が確立する以前に検出する電話番号情報検出手段と、
前記電話番号情報検出手段が検出した前記制御情報に含まれる電話番号情報を記憶する着信情報記憶手段と
を備え、
前記第１の通信網にある自機から前記第２の通信網にある他機への発呼に要する付加情報を、前記電話番号情報に付加して前記着信情報記憶手段に記憶すること
としたものである。
【発明の効果】
【０００８】
この発明によれば、デジタル移動無線通信システム等で使用されるデジタル無線電話機に前記電話番号を記憶する機能を持たせるに際し、デジタル無線電話機が本来備えているデジタル処理能力を最大限活かし、特にメモリの効率的な管理を図った、ユーザサービスを考慮した高機能・多機能な着信リダイヤル機能を備えたデジタル無線電話機を提供することができる。
【発明を実施するための最良の形態】
【０００９】
以下、この発明を実施するための最良の形態について図面を参照して説明する。
実施の形態１．
ここでは、自営用（内線）および公衆用（外線）の両システムに対応できるデジタル無線電話機を対象に発明の具体的説明を行う。図１はこの発明の一実施形態に係わるデジタル無線電話機のシステム構成を示す。図において、１はデジタル無線電話機の使用者が通話内容等の音声情報をアナログ音声信号として入力するためのマイク、２は入力されたアナログ音声信号をデジタル音声信号に変換するためのＡ／Ｄ変換器、３はこのＡ／Ｄ変換器２の出力であるデジタル音声信号を例えばＶＳＥＬＰ（Ｖｅｃｔｏｒ Ｓｕｍ  Ｅｘｃｉｔｅｄ  Ｌｉｎｅａｒ  Ｐｒｅｄｉｃｔｉｖｅ  Ｃｏｄｉｎｇ）方式等のデータ圧縮符号化方式を用いて符号化処理し符号化デジタル信号に変換し、またこの符号化デジタル信号を前記符号化とは逆の過程で復号化処理しデジタル音声信号に変換するための音声符・復号部、４は前記音声符・復号部３からの符号化デジタル信号又は後述する制御信号処理部９からの符号化デジタル信号のいずれかの信号を切換え選択するためのスイッチ、５はこのスイッチ４からの符号化デジタル信号をアンテナ６で送信される無線信号に変換するための送信変調機能と前記アンテナ６で受信された無線信号を符号化デジタル信号に変換するための受信復調機能とを有する無線機部、７は前記音声符・復号部３で復号化処理がされたデジタル音声信号をアナログ音声信号に変換するためのＤ／Ａ変換器、８は音声情報をアナログ音声信号で出力するためのスピーカ、９は前記無線機部５からの符号化デジタル信号に含まれる制御情報を復号するとともに、後述するメモリ１２に記録された電話番号情報を符号化し符号化デジタル信号として前記スイッチ４へ出力する制御信号処理部、１０は前記制御信号処理部９からの制御情報に含まれる電話番号情報をその情報が受信された時刻に基づきメモリ１２に記録するとともに、後述する操作部１１からの操作でメモリ１２に記録された電話番号情報を後述する表示部１３に表示する等の処理を行うためのマイクロコンピュータ、１１は例えばメモリ１２から電話番号情報を読み出し、発呼を行う等の操作情報を操作信号として入力するための操作部、１２は前記マイクロコンピュータ１０にて処理された電話番号情報を着信記録情報として記憶するためのメモリ、１３は操作情報及び各種操作に応答したメッセージを表示するための表示部、１４はスイッチ４の切換タイミングを制御する制御タイミング生成回路である。１００は前記Ａ／Ｄ変換器２、音声符・復号部３、Ｄ／Ａ変換器７で構成される音声処理部である。
【００１０】
図２は図１に示したデジタル無線電話機のシステム構成の中で、特にマイクロコンピュータ１２の内部で実行される着信電話番号の記録処理に関わる機能ブロック図である。図において４０は制御信号処理部９からの制御情報の中に電話番号情報の存在の有無を検出する電話番号情報検出手段、５０はこの電話番号情報が存在する場合にその制御情報の受信時刻を例えば当該デジタル無線電話機に備わる時計部（図示せず）からの時刻に基づき特定し、時刻情報を出力する時刻情報管理手段、７０は前記電話番号情報が存在する場合にその電話が内線によるものか外線によるものかを、例えば制御情報に含まれる内／外線識別情報の検出によって識別・判定する内／外線判定手段、８０は電話が内線の場合には前記制御情報中から電話番号情報を抽出後出力し、一方電話が外線の場合には前記制御情報中から電話番号情報を抽出後、外線発信情報を付加し、新たに電話番号情報として出力する外線情報付加手段、６０はこの外線情報付加手段からの電話番号情報を、前記時刻情報管理手段５０からの時刻情報と対応づけてメモリ１２へ着信記録情報として記録するメモリ管理手段である。
【００１１】
図３は図２に示したマイクロコンピュータ１２の内部で実行される着信電話番号処理に関わる機能ブロック図の中で、特にメモリ管理手段６０の内部で実行される細部の処理に関わる機能ブロック図である。図において６７は外線情報付加手段８０からの電話番号情報とすでにメモリ１２に記録されている過去の電話番号情報とを比較し、同じ情報の有無を検出する電話番号情報比較手段であって、この比較を行うか否かは操作部１３からの指示で設定される。６１は電話番号情報比較手段６７からの出力結果（比較せず「全て記録」または比較の結果「同一情報無し」）に基づき、メモリ１２内に着信した電話番号情報を新たに記録出来る空き領域が存在するか否かを判定する空きメモリ判定手段、６２は空きメモリ判定手段６１の判定結果（「空き無し」）または電話番号情報比較手段６７からの出力結果（比較の結果「同一情報有り」）に基づき、メモリ１２へ記録されている着信記録情報のうち不要な情報（最も古い情報あるいは複数の同じ情報）を削除し、空き領域を確保するとともに、残りの着信記録情報を新たに再書込する再記録手段、６３は空きメモリ判定手段６１の判定結果（「空き有り」）または再記録手段６２からの出力結果（「空き有り」）に基づき、メモリ１２内の所定の領域に電話番号情報を時刻情報と対応づけて着信記録情報として記録する記録手段である。
【００１２】
図４は着信電話番号の記録処理の動作を示すフローチャートである。以下に図２に示した本実施形態による動作を図３〜図４を参照しながら説明する。
【００１３】
先ずステップ４０１では電話番号情報検出手段４０により制御信号処理部９からの制御情報中に電話番号情報が存在するか否かの検出が行われる。電話番号情報が存在しない場合には処理は終了する。電話番号情報が存在する場合には次のステップ４０２において内／外線判定手段７０にてこの電話が内線か外線かの識別・判定が行われる。外線の場合には次のステップ４０３において外線情報付加手段８０にて制御情報中の電話番号情報に外線識別情報（例えば外線発信番号としての数字“０”）を付加し、電話番号情報として出力する。内線の場合には外線情報付加手段８０は制御情報から電話番号情報を抽出し出力する。次にステップ４０４では時刻情報管理手段５０にて電話番号情報が着信した時刻を特定する。次にステップ４０５では操作部１１からの操作により現在までに着信した複数の同じ着信電話番号に対する処理を電話番号情報比較手段６７に指示する。同じ着信電話番号を全て登録する場合はステップ４０６に移る。同じ着信電話番号のうち最新の着信電話番号のみを登録する場合は、ステップ４１０に移る。ステップ４１０では電話番号情報比較手段６７にてメモリ１２の中の第１の記憶部である着信記録メモリ１２１中にすでに登録されている過去の着信電話番号情報と最新の着信電話番号情報とを比較し、同じ電話番号情報が無ければステップ４０６に移る。同じ電話番号情報が有ればステップ４１１に移り、再記録手段６３にて既に登録されている過去の着信電話番号情報を着信記録メモリ１２１から削除し、ステップ４０８に移る。ステップ４０６では空きメモリ判定手段６１により着信記録メモリ１２１中に着信電話番号情報を新たに登録する場所が有るか無いかを判定する。満杯でない場合には着信電話番号情報を時刻情報とともに着信記録メモリ１２１に記録する。満杯の場合には次のステップ４０７に移り、時刻情報が最も古い電話番号情報を着信記録メモリ１２１から削除する。次のステップ４０８では、削除した着信記録メモリ１２１の部分にその次に古い電話番号情報を繰り上げて記録する。この操作を順次繰り返す。次のステップ４０９では、最終的に空いた着信記録メモリ１２１の部分に最新の着信電話番号情報を時刻情報とともに記録し、処理は終了する。図５は着信電話番号とその着信時刻の着信記録メモリ１２１内での記憶構成を示す。図５に示されるように着信電話番号はその着信時刻とセットになって、各アドレス毎に着信記録メモリ１２１内に記憶されている。
【００１４】
図６は、着信記録メモリ１２１に記録された着信電話番号の表示処理の動作を示すフローチャートである。以下にこの表示処理の動作を図３および図６を用いて説明する。先ずステップ６０１において操作部１１より着信電話番号の表示を指示する。次のステップ６０２ではメモリ記録判定手段６６により着信記録メモリ１２１に過去の着信電話番号情報が記録されているか否かを判定する。記録されていない場合には、ステップ６０３においてスピーカ８より記録されていない旨を表す警告音を鳴らすとともに、表示部１３に警告表示を行い、表示処理は終了する。記録されている場合には、ステップ６０４において着信記録読み出し手段６４により最も最近に着信した着信電話番号をその着信時刻とともに着信記録メモリ１２１より読み出し、表示部１３に表示する。次のステップ６０５では操作部１１より表示を終了する指示がされると表示処理は終了する。また他の着信電話番号を表示させたい場合には次のステップ６０６において、操作部１１より着信電話番号の表示の切換操作を行うと、ステップ６０７において１件前あるいは１件後というように着信電話番号の表示が切り替わる。以下ステップ６０５に戻り、所望の着信電話番号表示が行われるまでステップ６０５、６０６、６０７の処理が繰り返される。図７は、記録された着信電話番号が５件の場合について、上述の着信電話番号の表示の順番を示したものである。操作部１１からの指示に応じて繰り上げ方向または繰り下げ方向に逐次循環されて表示される。なお、上記の表示処理（ステップ６０４、６０７）では、表示の内容は着信記録メモリ１２１に記録されている着信電話番号情報および着信時刻のみであったが、後述する登録メモリ１２２に前記着信電話番号情報に対応するメモリダイヤル情報が登録されている場合には、前記着信電話番号情報の他に関連情報としてメモリダイヤル情報中の付加情報（電話番号に対応する相手先の会社名、名前等）を同時に表示するようにしても良い。この場合にはステップ６０４、６０７では、着信記録読み出し手段６４に読み出された着信電話番号をキーワードにして登録メモリ１２２内のメモリダイヤル情報を検索し（検索手段は図示せず）、着信電話番号と同じ電話番号が記録されていれば、それに対応する付加情報をメモリダイヤル読み出し手段６８により読み出し、表示部１３に表示することとなる。
【００１５】
図８は、着信記録メモリ１２１に記録された着信電話番号による着信リダイヤル処理の動作を示すフローチャートである。以下にこの着信リダイヤル処理の動作を図３および図８を用いて説明する。先ずステップ８０１において操作部１１からの指示により所望の着信電話番号を表示部１３に表示させる。この表示までの処理の細部は図６で説明した表示処理と同じである。次にステップ８０２では操作部１１から着信リダイヤルの指示を行うと、次のステップ８０３では着信記録読み出し手段６４にて読み出されている前記電話番号情報を制御情報として制御信号処理部９を経て無線機部５から相手電話へ送信し発呼を行う。
【００１６】
図９は、着信記録メモリ１２１に記録された着信電話番号のメモリダイヤル登録処理の動作を示すフローチャートである。ここで一般的なメモリダイヤル機能とは、よく利用する電話番号やこの電話番号に関連する付加情報（相手の会社名、人名等）をメモリダイヤル情報として前もってメモリに登録しておき、少ない操作でもって目的の電話番号や付加情報を呼び出し、表示、発呼等行うことができる機能である。登録の作業を図３を用いて説明する。先ず、操作部１１から通話相手の電話番号を入力する。次に、登録手段６５によりメモリ１２内の第２の記憶部である登録メモリ１２２の所定の領域に登録する。このとき前記電話番号には必要に応じて通話相手の略称等を対応づけて登録することが可能である。図１０は登録メモリ１２２内の通話相手の電話番号とこの電話番号に関連づけられた通話相手の略称の記憶構成を示したものである。図１０に示されるように電話番号は略称とセットになって、各アドレス毎に登録メモリ１２２に登録されている。以下に本発明によるメモリダイヤル登録処理の動作を図３および図９を用いて説明する。先ずステップ９０１において操作部１１からの指示により所望の着信電話番号を表示部１３に表示させる。この表示までの処理の細部は図６で説明した表示処理と同じである。次にステップ９０２では操作部１１からメモリダイヤル登録の指示を行うと、次のステップ９０３では着信記録読み出し手段６４にて読み出されている前記電話番号情報を登録手段６５を経て第２の記憶部である登録メモリ１２２の所定の領域へ登録が行われる。
【図面の簡単な説明】
【００１７】
【図１】この発明の一実施形態によるデジタル無線電話機のシステム構成を示すブロック図である。
【図２】図１に示すこの発明の実施形態による着信電話番号の記録処理に関わる機能ブロック図である。
【図３】図２に示すこの発明の実施形態によるメモリ管理手段内の細部処理に関わるブロック図である。
【図４】この発明の着信電話番号の記録処理に関わるフローチャートである。
【図５】この発明の着信電話番号の記憶構成を説明するための図である。
【図６】この発明の着信電話番号の表示処理に関わるフローチャートである。
【図７】この発明の着信電話番号の表示順序を説明するための図である。
【図８】この発明の着信電話番号の着信リダイヤル処理に関わるフローチャートである。
【図９】この発明の着信電話番号のメモリダイヤル登録処理に関わるフローチャートである。
【図１０】この発明のメモリダイヤル登録における電話番号の記憶構成を説明するための図である。
【図１１】従来のデジタル無線電話機のシステム構成を示すブロック図である。
【符号の説明】
【００１８】
１  マイク、  ２  Ａ／Ｄ変換器、  ３  音声符・復号部、  ４  スイッチ、
５  無線機部、  ６  アンテナ、  ７  Ｄ／Ａ変換器、  ８  スピーカ、
９  制御信号処理部、  １０  マイクロコンピュータ、  １１  操作部、
１２  メモリ、  １３  表示部、  １４  制御タイミング生成回路、
１５  デコーダ、  １６  ＤＴＭＦレシーバ、  １７  エンコーダ、
４０  電話番号情報検出手段、  ５０  時刻情報管理手段、
６０  メモリ管理手段、  ６１  空きメモリ判定手段、  ６２  再記録手段、
６３  記録手段、  ６４  着信記録読み出し手段、  ６５  登録手段、
６６  メモリ記録判定手段、  ６７  電話番号情報比較手段、
６８  メモリダイヤル読み出し手段、  ７０  内／外線判定手段、
８０  外線情報付加手段、  １００、１００ａ  音声処理部、
１２１  第１の記憶部（着信記録メモリ）、  １２２  第２の記憶部（登録メモリ）
【図１】
2006115537.tif 000003
【図２】
2006115537.tif 000004
【図３】
2006115537.tif 000005
【図４】
2006115537.tif 000006
【図５】
2006115537.tif 000007
【図６】
2006115537.tif 000008
【図７】
2006115537.tif 000009
【図８】
2006115537.tif 000010
【図９】
2006115537.tif 000011
【図１０】
2006115537.tif 000012
【図１１】
2006115537.tif 000013